(57)【特許請求の範囲】
【請求項１】
パチンコ球の径と略同径となっており、互いに近接、離反可能に保持された２個の接触片と、
前記接触片の一方側に固定された一方側のアームと、
前記他方側の接触片に固定された他方側のアームと、
前記一方側のアームを固定する測定装置本体と、
該測定装置本体に設けられ、前記他方側のアームを回転自在に保持するアーム保持ピンと、
前記他方側のアームの端部に設けられ、該他方側のアームの先端に設けられた前記接触片を離反する方向に付勢するばね体と、
前記一方側及び他方側の各々分離した接触片の表面に予め形成した点状のピンポイントからなる測定部と、
前記測定装置本体内に設けられ、前記測定部を撮影する撮影レンズと、
該撮影レンズにより撮影された測定部の映像を記録するＣＣＤ部と、
からなり、前記２個の接触片をパチンコ機械の２本の釘の間に通し、前記測定部の間隔をＣＣＤ部で測定し、これによって前記釘間隔を測定することを特徴とするパチンコ機械の釘間隔測定装置。
【請求項２】
測定部を測定した釘間隔は、表示部に表示されてなることを特徴とする請求項１に記載のバチンコ機械の釘間隔測定装置。
【請求項３】
接触片の一方側に固定され、他方側の接触片に設けられたガイド溝内を摺動自在に形成したガイドピンを設けてなることを特徴とする請求項１又は２に記載のパチンコ機械の釘間隔測定装置。
【請求項４】
測定部のピンポイントは、一方側及び他方側の接触片の端部を平面状に切り欠いた平面部に形成したことを特徴とする請求項１ないし３のいずれかに記載のパチンコ機械の釘間隔測定装置。
【請求項５】
測定装置本体は、該撮影レンズヘの異物の侵入を防止するための透明な防塵体を設けてなることを特徴とする請求項１ないし４のいずれかに記載のパチンコ機械の釘間隔測定装置。
【発明の詳細な説明】
【０００１】
【発明の属する技術分野】
本発明は、パチンコ機械に設けられた２本の釘間隔を、誰もが簡単かつ確実に測定することのできる装置に関する。
【０００２】
【従来の技術】
パチンコ機械では、パチンコ機械台に設けられた２本の釘間隔を板ゲージ又は玉ゲージで感覚的に調整していた。
上記従来の調整方式では、特別に経験を積み、かつ熟練を積んだ人しか調整することができず、誰もが簡単に調整することができなかった。
【０００３】
一方、前記釘間隔の調整作業を測定機械によって行なうものも既に提案されている。この公知の釘間隔測定機械は、パチンコ機械に取り付けられている２本の釘に接合片を接合させて測定するものとなっている。
【０００４】
【発明が解決しようとする課題】
ところが、前記手作業による感覚的な測定方式によると、人件費が高コストであると同時に、測定する作業員に熟練を必要とし、店舗内に釘間隔測定用の作業員を常時駐在させることは困難である。
一方、前記公知の測定機械による測定方式によると、該測定機械が大型装置であり、かつ高コストであるため、各店舗の一人一人の店員が保持することは困難であった。
【０００５】
また、従来公知の測定機械は、２本の釘間隔の測定を行なった際に、その表示が複雑であり、多少の熟練を必要としていた。
【０００６】
本発明は、このような問題点を解消するために創案されたものである。
すなわち、本発明の目的は、測定作業に熱練を必要とせず、しかも低コストである上、小形かつ軽量なパチンコ機械用の釘間隔測定装置を提供せんとするものである。
【０００７】
また、本発明の他の目的は、従来の釘間隔測定方式と同じように、釘間隔を測定できるようにすると同時に、その測定数値を表示装置で簡単に感知できるようにしたパチンコ機械の釘間隔測定装置を提供するにある。
【０００８】
【課題を解決するための手段】
この目的を達成するため、本発明のパチンコ機械用の釘間隔測定装置は、以下のように構成されている。
パチンコ球の径と略同径となっており、互いに近接、離反可能に保持された２個の接触片１１、１２と、
該接触片１１、１２の外周に設けられ、パチンコ機械に設けられた２本の釘１４、１４間に前記２個の接触片１１、１２を通したときに前記釘１４、１４に接触して接触片１１、１２の最大離反間隔となるように設けられた突起体１３と、
該接触片１１、１２の一方側１１に固定され、他方側の接触片１２に設けられたガイド溝１５Ａ内を滑るように設けられたガイドピン１５と、
前記接触片１１、１２の一方側１１に固定された一方側のアーム１６と、
前記他方側の接触片１２に固定された他方側のアーム１７と、
前記一方側のアーム１６を固定する測定装置本体１８と、
該測定装置本体１８に設けられ、前記他方側のアーム１７を回転自在に保持するアーム保持ピン１９と、
前記他方側のアーム１７の端部に設けられ、該他方側のアーム１７の先端に設けられた前記接触片１２を離反する方向に付勢するばね体２０と、
前記一方側及び他方側の接触片１１、１２の端部を平面に切り欠いて形成された平面部２１と、
該切り欠かれた各々の平面部２１に予め形成した点状のピンポイントからなる測定部２２と、
前記測定装置本体１８内に設けられ、前記測定部２２を撮影する撮影レンズ２３と、
該撮影レンズ２３により撮影された測定部２２の映像を記録するＣＣＤ部２４と、
該ＣＣＤ部２４を保持する保持基板２５と、
該保持基板２５を前記測定装置本体１８に嵌め外し自在に固定する取り付け装置２６と、
前記撮影レンズ２３への異物の侵入を防止するために設けられた透明な防塵体２７と、
からなり、前記２個の接触片１１、１２をパチンコ機械の２本の釘１４、１４の間に通し、該２本の釘１４、１４が前記突起体１３に接触した場合の前記測定部２２の間隔をＣＣＤ部２４で測定し、これによって前記釘１４、１４間隔を測定することを特徴とするパチンコ機械の釘間隔測定装置。
【０００９】
【発明の実施の形態】
以下、本発明の好適な実施の形態を図１ないし図５を参照して説明する。
本発明になるパチンコ機械用の釘間隔測定装置１は、箱型の容器部２と測定部３とからなっており、該箱型の容器部２には測定された釘間隔を表示する表示部４と、操作ボタンの設けられた操作部５とからなっている。
【００１０】
測定部３は、その外径がパチンコ球と略同径となっており、互いに近接、離反可能に保持された２個の接触片１１、１２からなっている。
該２個の接触片１１、１２の外周には、突起体１３が設けられている。該突起体１３は、図示しないパチンコ機械に設けられた２本の釘１４、１４間に前記２個の接触片１１、１２を通したときに、前記２本の釘１４、１４に接触して接触片１１、１２の最大離反間隔となるように設けられている。
【００１１】
前記接触片の一方側１１にはガイドピン１５が固定されており、該ガイドピン１５は他方側の接触片１２に設けられたガイド溝１５Ａ内を滑るように設けられている。
【００１２】
前記接触片の一方側１１には一方側のアーム１６が固定され、前記他方側の接触片１２には他方側のアーム１７が固定されている。前記一方側のアーム１６は測定装置本体１８に固定されている。又、他方側のアーム１７はアーム保持ピン１９に回転自在に保持され、該アーム保持ピン１９は測定装置本体１８に設けられている。
【００１３】
前記他方側のアーム１７の端部にはばね体２０が設けられ、該ばね体２０は他方側のアーム１７の先端に設けられた前記２個の接触片１１、１２を離反する方向に付勢している。
【００１４】
一方側の接触片１１及び他方側の接触片１２の端部には平面部２１が設けられている。該平面部２１は一方側の接触片１１及び他方側の接触片１２の端部を平面に切り欠いて形成されたものである。該切り欠かれた平面部２１にはピンポイントからなる測定部２２が設けられている。
【００１５】
測定装置本体１８内には、前記測定部２２を撮影する撮影レンズ２３が設けられており、該撮影レンズ２３により撮影された測定部２２の映像はＣＣＤ部２４に記録されている。ＣＣＤ部２４は保持基板２５に保持され、該保持基板２５は取り付け装置２６によって測定装置本体１８に嵌め外し自在に固定されている。また、撮影レンズ２３への異物の侵入を防止するため、透明な硝子や透明なプラスチックからなる防塵体２７が測定装置本体１８に設けられている。
【００１６】
上記のように構成されたパチンコ機械用の釘間隔測定装置の作用を説明する。
先ず、２個の接触片１１、１２をパチンコ機械の２本の釘１４、１４の間に通す。そして、２本の釘１４、１４が突起体１３に接触したときに、測定部２２の間隔をＣＣＤ部２４で測定する。測定操作は操作部５の操作ボタンを押して行なう。測定された釘間隔は表示部４に表示され、これを作業員が読み取ることによって釘間隔の測定を行なう。
【００１７】
【発明の効果】
以上説明した本発明のパチンコ機械用の釘間隔測定装置によると、以下のような効果を奏する。人件費が低減できると同時に、測定する作業員に熟練を必要とせず、店舗内に釘間隔調整用の作業員を常時駐在させることが可能となる。その上、測定装置が小型軽量であるため、各店舗の一人一人の店員に保持させることが可能となって、必要に応じて何時でも釘間隔の調整が可能となるものである。
【００１８】
また、本発明の測定装置によると、２本の釘間隔の測定を行なった後に、その表示部を読み取ることにより簡単に釘間隔の数値を知ることが出来る。
【図面の簡単な説明】
【図１】図１は、本発明の一実施例になる測定装置の正面図である。
【図２】図２は、図１の側面図である。
【図３】図３は、図１の測定装置の断面図である。
【図４】図４は、図２の測定装置の断面図である。
【図５】図５は、図４のＢ方向拡大図である。
【符号の説明】
１１、１２  接触片
１３  突起体
１４、１４  釘
１５  ガイドピン
１５Ａ  ガイド溝
１６  一方側のアーム
１７  他方側のアーム
１８  測定装置本体
１９  アーム保持ピン
２０  ばね体
２１  平面部
２２  測定部
２３  撮影レンズ
２４  ＣＣＤ部
２５  保持基板
２６  取り付け装置
２７  防塵体
【図１】
0003722660.tif 000002
【図２】
0003722660.tif 000003
【図３】
0003722660.tif 000004
【図４】
0003722660.tif 000005
【図５】
0003722660.tif 000006